(57)【要約】【課題】  小物を容易に出し入れすることができるとともに、その置き忘れを防止することができるセンタコンソールにおける小物の支持装置を提供する。【解決手段】  センタコンソールボックス１１の車両前方側の外壁面に、小物としての無線電話機１４を挿入支持するための支持凹部１３を形成する。支持凹部１３内には不使用時に開口端を閉鎖するための蓋体を兼用する閉鎖部材１６を配設する。支持凹部１３内に無線電話機１４を挿入支持したとき、閉鎖部材１６が無線電話機１４の一部に当接して退避位置に移動されるとともに、無線電話機１４を支持凹部１３内に保持する。【選択図】      図４
2005112009.tif 000002
【特許請求の範囲】
【請求項１】
センタコンソールボックスの車両前方側の外壁面に、小物を挿入支持するための支持凹部を設けるとともに、その支持凹部内において小物を保持するための保持手段を設け、さらに支持凹部に対する小物の置き忘れを報知するための報知手段を設けたことを特徴とするセンタコンソールにおける小物の支持装置。
【請求項２】
前記支持凹部を不使用時に閉鎖するための閉鎖手段を設けたことを特徴とする請求項１に記載のセンタコンソールにおける小物の支持装置。
【発明の詳細な説明】
【技術分野】
【０００１】
この発明は、車両の室内において携帯電話機やＰＨＳ電話機等の小物を支持するようにしたセンタコンソールにおける小物の支持装置に関するものである。
【背景技術】
【０００２】
一般に、車両（乗用車）の室内に携帯電話機やＰＨＳ電話機等の無線電話機を持ち込んだ場合には、その無線電話機はセンタコンソールボックス内やグラブボックス内に収容される。このため、車両の走行にともなって、無線電話機が収容ボックス内で移動して、小物等の他の収容物と混在し、その無線電話機を取り出すのに時間がかかることがあった。また、前記センタコンソールボックスやグラブボックスは通常閉じられているため、外部から視認できず、乗員が車両から離れる際に置き忘れることが多かった。
【０００３】
このような問題に対処するため、例えば特許文献１に開示されるような置き忘れ防止装置も従来から提案されている。この従来構成においては、自動車内の運転席周りの所定位置に、無線電話機を載置するための載置台が設けられている。そして、この載置台上に無線電話機を載置したままの状態で、乗員が車両から離れようとしたとき、電話機検出部による電話機の載置状態の検出や、キーポジション検出部によるイグニションキーのオフ位置の検出等に基づいて、警告装置が警告動作されるようになっている。
【特許文献１】特開平１１−４１１６４号公報
【発明の開示】
【発明が解決しようとする課題】
【０００４】
ところが、この従来の置き忘れ防止装置では、自動車内における載置台の配設箇所が考慮されていない。このため、例えば特許文献１の図６に示される構成のように、載置台をコンソールボックスの肘掛け兼用のボックスカバー（コンソールボックスの蓋）の上面に配設した場合、載置台が肘掛けの邪魔になったり、ボックスカバーの開閉が面倒になったりするという問題が生じ、使い勝手の悪いものであった。
【０００５】
この発明は、このような従来の技術に存在する問題点に着目してなされたものである。その目的は、コンソールボックス等の使い勝手を損なうことなく無線電話機等の小物を確実に収容保持できるとともに、その置き忘れを防止することができるセンタコンソールにおける小物の支持装置を提供することにある。
【課題を解決するための手段】
【０００６】
上記の目的を達成するために、請求項１に記載の発明は、センタコンソールボックスの車両前方側の外壁面に、小物を挿入支持するための支持凹部を設けるとともに、その支持凹部内において小物を保持するための保持手段を設け、さらに支持凹部に対する小物の置き忘れを報知するための報知手段を設けたものである。
【０００７】
請求項２に記載の発明は、請求項１に記載の発明において、前記支持凹部を不使用時に閉鎖するための閉鎖手段を設けたことを特徴とするものである。
（作用）
請求項１に記載の発明においては、センタコンソールボックスの車両前方側の外壁面に支持凹部が設けられているため、乗員が座席に着座した状態で、無線電話機等の小物を支持凹部内に対して容易に出し入れすることができるとともに、センタコンソールの収容機能を損なうことがない。また、乗員がドアを開閉して車両から離れる際に、センタコンソールボックスの車両前方側の支持凹部に小物が挿入支持されている場合には、その状態を容易に視認することができて、置き忘れを防止することができる。
【０００８】
また、請求項１に記載の発明においては、保持手段により小物を支持凹部内に妄動することなく安定状態に保持することができる。
さらに、請求項１に記載の発明においては、支持凹部に小物を挿入支持したままの状態で、乗員が車両から離れようとしたとき、報知手段が報知動作される。よって、小物の置き忘れを一層確実に防止することができる。
【０００９】
請求項２に記載の発明においては、支持凹部に小物が挿入支持されていないとき、閉鎖手段により支持凹部が閉鎖されて、小物が支持されていない状態を乗員に対して容易に認識させることができる。
【発明の効果】
【００１０】
以上のように、この発明によれば、センタコンソールの機能を損なうことなく、支持凹部に対して小物を容易に出し入れすることができるとともに、その置き忘れを防止することができる。
【発明を実施するための最良の形態】
【００１１】
（第１実施形態）
以下に、この発明のセンタコンソールの第１実施形態を、図１〜図４に基づいて説明する。
【００１２】
図１及び図２に示すように、車両の室内における中央部に配設されたセンタコンソールボックス１１の上面開口部には、肘掛け兼用のボックスカバー１２が開閉可能に取り付けられている。センタコンソールボックス１１の車両前方側の外壁面には支持凹部１３が、開口端から後方奥部に向かって次第に下降傾斜するように形成されている。そして、小物としての携帯電話機やＰＨＳ電話機等の無線電話機１４を支持凹部１３に挿入して、図４に示すように、その無線電話機１４の一部を突出させた状態で支持できるようになっている。この実施形態では、前記支持凹部１３が無線電話機１４を収容支持するのに適合した形状及び大きさを有している。
【００１３】
前記支持凹部１３の下壁には透孔部１５が貫通形成されている。透孔部１５には閉鎖手段及び保持手段を構成する蓋体兼用の閉鎖部材１６が支軸１７を介して回動可能に取り付けられ、その閉鎖部材１６の先端には透孔部１５の開口縁に係合可能なストッパ部１８が突出形成されている。支軸１７にはバネ１９が巻装され、その両端が閉鎖部材１６及びセンタコンソールボックス１１内の掛止部２０に掛止されている。そして、このバネ１９により、閉鎖部材１６が図２の時計方向に回動付勢されている。閉鎖部材１６の前面には凸部１６ａが形成され、その凸部１６ａの前面には上部側ほど後退する斜面１６ｂが形成されている。
【００１４】
そして、図２に示すように、支持凹部１３内に無線電話機１４が挿入支持されていないときには、前記バネ１９の付勢力により、閉鎖部材１６が透孔部１５から支持凹部１３内に突入されて、ストッパ部１８と透孔部１５ａの開口縁との係合により、支持凹部１３の開口端を閉鎖する閉鎖位置に配置される。また、図４に示すように、支持凹部１３内に無線電話機１４が挿入支持されたときには、閉鎖部材１６の斜面１６ｂと無線電話機１４の端部との当接により、閉鎖部材１６は、バネ１９の付勢力に抗して支持凹部１３外の下方退避位置に配置される。そして、この状態でバネ１９の付勢力に従う閉鎖部材１６の押圧力により、無線電話機１４が支持凹部１３の前面開口部の上縁に受けられて、支持凹部１３内に保持されるようになっている。従って、この実施形態では、前記バネ１９が小物を支持凹部１３内で保持するための保持手段を構成している。
【００１５】
図１〜図３に示すように、前記支持凹部１３の近傍には報知手段を構成する報知装置２１が配設されている。すなわち、支持凹部１３の両側方に位置するように、センタコンソールボックス１１の車両前方側の外壁両端部には、一対の報知用ランプ２２が組み込まれている。支持凹部１３の一側近傍に位置するように、センタコンソールボックス１１の車両前方側の外壁には、報知用ブザー２３が配置されている。
【００１６】
前記支持凹部１３の開口端付近の上部には、磁気スイッチ等よりなる電話機挿入検出センサ２４が配設されている。この電話機挿入検出センサ２４と接離可能に対応するように、閉鎖部材１６の外面には磁気を帯びた板等よりなる検出部材２５が埋設されている。そして、図２に示すように、支持凹部１３に無線電話機１４が挿入支持されないで、閉鎖部材１６が閉鎖位置に回動配置されているときには、検出部材２５が電話機挿入検出センサ２４に近接配置されて、そのセンサ２４により、無線電話機１４の非挿入支持状態が検出される。また、図４に示すように、支持凹部１３に無線電話機１４が挿入支持されて、閉鎖部材１６が退避位置に回動配置されたときには、検出部材２５が電話機挿入検出センサ２４から離間されて、そのセンサ２４により、無線電話機１４の挿入支持状態が検出されるようになっている。
【００１７】
図３に示すように、前記電話機挿入検出センサ２４からの検出信号は、制御部２６に入力されるようになっている。また、この制御部２６には、車両のイグニションキーの抜き取りを検出するためのキー抜取り検出センサ２７からの検出信号、及び前記報知用ランプ２２及び報知用ブザー２３の報知動作を無効化するための操作スイッチ２８からの操作信号が入力されるようになっている。そして、操作スイッチ２８により報知動作が無効化されていない状態で、支持凹部１３に無線電話機１４を挿入支持したまま、乗員が車両から離れるためにイグニションキーを抜き取ったとき、前記両センサ２４，２７からの検出信号に基づいて、制御部２６により報知用ランプ２２及び報知用ブザー２３が報知動作されるようになっている。
【００１８】
次に、前記のように構成されたセンタコンソールにおける小物の支持装置の作用を説明する。
さて、図２に示す状態では、支持凹部１３内に小物としての無線電話機１４が挿入支持されておらず、閉鎖部材１６がバネ１９の付勢力により閉鎖位置に回動配置されて、支持凹部１３の開口端が閉鎖されている。このため、閉鎖部材１６が車両前方側に露呈して、乗員には支持凹部１３内に無線電話機１４が挿入支持されていないことがひと目で認識される。
【００１９】
そして、乗員が無線電話機１４を所有している場合には、その無線電話機１４が支持凹部１３に挿入支持される。この場合、支持凹部１３がセンタコンソールボックス１１の車両前方側の外壁面に形成されているため、乗員が座席に着座したままの状態で、支持凹部１３に対する無線電話機１４の挿入操作を容易に行うことができる。また、その後に支持状態の無線電話機１４を支持凹部１３から取り出す場合にも、その取り出し操作を容易に行うことができる。
【００２０】
前記のように支持凹部１３内に無線電話機１４を挿入した場合には、閉鎖部材１６の斜面１６ｂと無線電話機１４の端部との当接により、閉鎖部材１６がバネ１９の付勢力に抗して図２の反時計方向に回動され、図４に示すように、透孔部１５を介して支持凹部１３外の下方退避位置に配置される。この状態で、バネ１９の付勢力に基づく退避位置の閉鎖部材１６の押圧力により、無線電話機１４が支持凹部１３の上壁内面に受けられて支持凹部１３内に保持される。
【００２１】
この状態では、支持凹部１３がセンタコンソールボックス１１の車両前方側の外壁面に形成されていて、その支持凹部１３内に無線電話機１４が前方への突出状態で挿入支持されているため、乗員はその状態を簡単に視認することができる。従って、乗員が車両から離れる場合、無線電話機１４を置き忘れるおそれはほとんどない。加えて、乗員が支持凹部１３に無線電話機１４を挿入支持したまま、車両から離れるためにイグニションキーを抜き取った場合には、電話機挿入検出センサ２４及びキー抜取り検出センサ２７からの検出信号に基づいて、制御部２６により報知用ランプ２２及び報知用ブザー２３が報知動作される。よって、この報知動作により、乗員は無線電話機１４の置き忘れ状態を確実に気付くことができる。
【００２２】
従って、この実施形態によれば、以下のような効果を得ることができる。
（１）  このセンタコンソールにおける小物の支持装置においては、センタコンソールボックス１１の車両前方側の外壁面に、無線電話機１４を挿入支持するための支持凹部１３が形成されている。このため、乗員が座席に着座した状態で、無線電話機１４を支持凹部１３内に容易に出し入れすることができる。つまり、無線電話機１４をコンソールボックスやグローブボックス内に収容した場合とは異なり、無線電話機１４が他の小物等と混在して取り出しにくくなるようなことがなく、必要なときにただちに取り出すことができる。また、乗員が車両から離れる際に、支持凹部１３に無線電話機１４が挿入支持されている状態を容易に視認することができて、無線電話機１４の置き忘れを防止することができる。さらに、無線電話機１４はその一部が支持凹部１３の外部前方へ突出した状態で支持凹部１３に支持されるため、コンソールボックス内等の閉鎖空間内に収容されたされた場合と異なり、無線電話機１４の着信音を乗員に対して効果的に伝えることができる。
【００２３】
（２）  このセンタコンソールにおける小物の支持装置においては、前記支持凹部１３に無線電話機１４を挿入支持したままの状態で、乗員が車両から離れようとしたとき、報知装置２１が報知動作されるようになっている。このため、乗員に対して無線電話機１４の存在を知らせて、無線電話機１４の置き忘れを一層確実に防止することができる。
【００２４】
（３）  このセンタコンソールにおける小物の支持装置においては、前記支持凹部１３に無線電話機１４が挿入支持されていないとき、蓋体を兼用する閉鎖部材１６により支持凹部１３の開口端が閉鎖されるようになっている。このため、支持凹部１３内に無線電話機１４が支持されていないときには、それをただちに認識でき、無線電話機１４の支持の有無について誤認識を避けることができる。
【００２５】
（４）  このセンタコンソールにおける小物の支持装置においては、支持凹部１３を閉鎖するための蓋体と、無線電話機１４を保持するための閉鎖部材１６とが兼用されているため、構造の簡略化を図ることができる。
【００２６】
（第２実施形態）
次に、この発明の第２実施形態を、前記第１実施形態と異なる部分を中心にして説明する。
【００２７】
さて、この第２実施形態においては、図５に示すように、支持凹部１３の下壁内面の奥部にアクリルフォーム等の柔軟で、弾力性及び粘着性を有する材料よりなる保持手段としての保持部材３１が固定配置されている。そして、支持凹部１３内に無線電話機１４を挿入支持したとき、この保持部材３１が無線電話機１４の下面の一部に接合して、無線電話機１４が支持凹部１３内に粘着状態で保持されるようになっている。
【００２８】
従って、この第２実施形態によれば、前記第１実施形態における（１）〜（４）に記載の効果に加えて、以下のような効果を得ることができる。
（５）  このセンタコンソールにおける小物の支持装置においては、支持凹部１３内に無線電話機１４を挿入支持したとき、バネ１９の付勢による閉鎖部材１６の押圧保持力と、粘着性を有する保持部材３１の粘着保持力との協働作用で、無線電話機１４を支持凹部１３内に一層安定した状態で保持することができる。しかも、無線電話機１４に作用しようとする車両振動等を保持部材３１により吸収できるため、無線電話機１４の故障や表面損傷等を防止できる。
【００２９】
（変更例）
なお、この実施形態は、次のように変更して具体化することも可能である。
・  前記支持凹部１３の形状や大きさを無線電話機１４以外の小物（例えば、財布）を収容支持するのに適した形状や大きさとすること。
【００３０】
・  前記各実施形態において、蓋体を兼用する閉鎖部材１６を支持凹部１３の上壁側に開閉回動可能に配設する。そして、支持凹部１３内に無線電話機１４が挿入支持されたとき、閉鎖部材１６が無線電話機１４の上面に接合して、その無線電話機１４が支持凹部１３の下壁内面に受けられるように構成すること。
【００３１】
・  前記第２実施形態において、粘着性を有する保持部材３１を支持凹部１３の上壁内面の開口端付近に固定配置する。そして、支持凹部１３内に無線電話機１４が挿入支持されたとき、この保持部材３１が無線電話機１４の上面の一部に接合するように構成すること。
【００３２】
・  前記第２実施形態において、粘着性を有する保持部材３１の代わりに、柔軟性及び弾力性を有し、摩擦係数が高い材質のもの、例えばウレタンフォームを用いること。このように構成しても、第２実施形態のような効果を得ることができる。
【図面の簡単な説明】
【００３３】
【図１】第１実施形態のセンタコンソールにおける小物の支持装置を示す斜視図。
【図２】図１の支持構造の要部断面図。
【図３】電話機の置き忘れの報知に関連する回路構成を示すブロック図。
【図４】無線電話機を支持凹部に挿入支持した状態を示す要部断面図。
【図５】第２実施形態のセンタコンソールにおける小物の支持装置を示す要部断面図。
【符号の説明】
【００３４】
１１…センタコンソールボックス、１３…支持凹部、１４…小物としての無線電話機、１６…閉鎖手段及び保持手段を構成する蓋体兼用の閉鎖部材、１９…保持手段を構成するバネ、２１…報知手段を構成する報知装置、２２…報知用ランプ、２３…報知用ブザー、２４…電話機挿入検出センサ、２５…検出部材、２６…制御部、２７…キー抜取り検出センサ、３１…保持手段を構成する保持部材。
【図１】
2005112009.tif 000003
【図２】
2005112009.tif 000004
【図３】
2005112009.tif 000005
【図４】
2005112009.tif 000006
【図５】
2005112009.tif 000007